Podtech/llm-jp-corpus-v4-ja_patent huggingface dataset:
(57)【要約】      （修正有）【課題】永続強じん部材と安全航行等の構成で斜交減等の損失力減をはかりつつ、停止加力のままで永続自公転等の現出。【解決手段】固定した車軸サンギャに巻いたチェーン等を、左まわり公転の反対右まわりにほどくと、そこには回転エネルギーの距離が得られている。ほどかれたチェーンを主柄先遊星小ギャで巻きとりつつ、遊星軸固定のサンギャを右まわりする中小ギャ組で右まわり自転力をつくらせながら、前記の左まわり公転力をつくらせて、永続的自公転モーメントエネルギーが誕生させられる。【選択図】図１
2011122580.tif 000002
【特許請求の範囲】
【請求項１】
本頁と明細書・図面・要約書など
【請求項２】
（１）頁の（００１１〜００１５）
【請求項３】
（３）頁の（００１６〜００２０）
【請求項４】
（４）頁の（００２１〜００２３）
【発明の詳細な説明】
【技術分野】
【００１６】  機械技術等による無限無公害の回転動力等により、クリーン発電力をはじめ天候や地震等の調節も可能にする。
【背景技術】
【００１７】  諸資源の浪費と恐るべき原子力や温暖化等で地球生物等に大公害を与えてきた。
【発明が解決しようとする課題等】
【００１８】  固定した車軸サンギャに巻いたチェーン等を、左まわり公転の反対右まわりにほどくと、そこには回転エネルギーの距離が得られている。ほどかれたチェーンを主柄先遊星小ギャで巻きとりつつ、遊星軸固定のサンギャを右まわりする中小ギャ組で右まわり自転力をつくらせながら、前記の左まわり公転力をつくらせて、永続的自公転モーメントエネルギーが誕生させられる。
サンギャと同径の加力ギャで前記チェーンを巻きとれば、停止加力のまゝすばらしくクリーンな無限回転エネルギー現出と、それを利用したジェット推進や、暖冷動力等で、天候や地震の調節などの大挙も実現可能となる。
次に透視平面図の〔図１〕を参考に説明を進める。
【００１９】  半径３の車軸サンギャと同径の加力ギャのピッチを倍にして、遊星軸▲１１▼に固定した遊星サンギャにまわる小ギャ群と支柄▲２０▼を右まわりに自転（モーメント約６で車軸サンギャピッチも倍の６に）させると、▲５▼に約３０の公転力をつくらせ、サンギャや遊星ギャ（含付属中小ギャ比）径を大きくすると公転力も多大にさせられる。
【００２０】  しかし各軸には高低差等があるため、斜交減転等による負モーメントが避けられず、水平回転力は相当縮減される。
そこで支柄につく中小軸を上下させたり、各軸に平行と垂直のボールベァリングやバネ等使用（加力テコにも）で斜交減転やマサツ等の縮小をはかりつつ、部品構成や材質改善（強度や軽量化等含む）等が必要となる。
なお、▲６１▼の加力法は、小車軸サンギャで巻制して加力正逆を生ませる加力別法である。また、遊星サンギャを内歯車にして、支柄モーメントを大きくさせる構成別法もある。
【００２１】  以上を原転とすれば、添転として▲７１▼▲７２▼では（２×４×２＝１６）＋（１２×３．５＝４２）＝５６  の添転計算トルクも得られるが、原転の回転数をふやすことになる。しかし総部品数をふやさないで済む。
【００２２】  回転力をとりだすには車軸につけたギャ等で伝達させることはもちろん、リモコン操作可能は当然で、ジャイロスコープ使用やフリーギャ取付等も有効となる。使用例は発電機等のモーターをはじめ、静止加力のまま永続回転のクリーンエネルギーを創出させ、諸資源を守りつつ排気等の諸公害を無用にして、悪名高い放射能の追放等も実現させられる。
【００２３】  上記の無限回転力を使用した、気体等の圧縮と真空によりジェット推進が可能と相成る。また気体の温暖化等を使用した天候調節も可能となり、地下マグマの真空冷却法を使用した地震調節法も可能となる。
また将来的には調和を大前提にした、太陽系等の銀河延命も相可能となろう。
【図面の簡単な説明】１  〔図１〕は創転調機の透視略平面図。
２  上記中の線の説明
（１）実線は主・支柄と各軸心（ベァリング心含む）、加力テコ先（ギャ縁突起含む）を示す。
（２）１点鎖線はピッチ円線でスプロケット等と平歯車を示す。
（３）破線はチェーン等を示す。
３  符号の説明
▲１▼  車軸
▲３▼  加力テコ先
▲５▼  車軸サンギャ
▲６▼  加力チェーン
▲１０▼  主柄
▲１１▼  遊星軸
▲１５▼  遊星サンギャ
▲２０▼  支柄
▲３１▼  支柄端歯車軸
▲４１▼  挿輪軸
▲５１▼  加転軸
▲５３▼  加転チェーン
▲６１▼  小挿輪
▲７１▼  １次添転軸
▲７２▼  ２次添転軸
【図１】
2011122580.tif 000003
【手続補正書】
【提出日】平成22年3月10日(2010.3.10)
【手続補正１】
【補正対象書類名】明細書
【補正対象項目名】００１９
【補正方法】変更
【補正の内容】
【００１９】      半径３の車軸サンギャと同径の加力ギャのピッチを倍にして、遊星軸▲１１▼に固定した遊星サンギャにまわる小ギャ群と支柄▲２０▼を右まわりに自転（モーメント約６で車軸サンギャピッチも倍の６に）させると、▲５１▼に約３０の公転力をつくらせ、サンギャや遊星ギャ（含付属中小ギャ比）径を大きくする等で公転力も多大にさせられる。
【手続補正２】
【補正対象書類名】明細書
【補正対象項目名】００２２
【補正方法】変更
【補正の内容】
【００２２】      回転力をとりだすには車軸につけたギャ等で伝達させることはもちろん、リモコン操作可能は当然で、オートジャイロスコープ使用やフリーギャ取付等も有効となる。使用例は発電機等のモーターをはじめ、静止加力のまま永続回転のクリーンエネルギーを創出させ、諸資源を守りつつ排気等の諸公害を無用にして、悪名高い放射能の追放等も実現させられる。
(57)【要約】【課題】重力回転をいかに理甲するかをかいけつする。【解決手段】本発明は、複数の変形状の回転板（ローター）を層状に組合せ、効率よく回転させる重力回転＋遠心力回転装置と、遠心力回転加速助勢する小型モーターを用いて、層状回転体、全体の回転から電気を作り出すことができる発電装置である。【選択図】図６
2011122575.tif 000002
【特許請求の範囲】
【請求項１】
変形状の回転板（ローター）１枚、回転板を支える側板（ステーター）２枚を両端に配列し発電コイルコワーを組込み、（１、２、３）１機構、（４、５、６）２機構を層状回転の組織とし、エネルギーを増強するために２機構組合せ、偶数単位で増す事によってトルクパワーアップとなる。
【請求項２】
回転機構回転板（ローター）（７）のように（ステーター）先端を左、右、に振る事で（ローター）が回転し、（５）機構の動作は単独の動きとなる。さらに（７）機構のように（ステーター）先端を右、に振ると重力回転に加速が加わり、左、に振ると遠心力回転に加速が加わる。
更に（クランクホイル）位置の左、右、運動には（ステーター）振り部の幅が右に振る時は大きく、左に振る時は小さく、重力回転の場合、加速力は遠心力回転より強い。
尚、（８）（カムクランク）の振り幅と（ローター）回転数は、とても重要な役割を補う。
【請求項３】
回転組織を組合せた（９）は、２機構の単独回転の動きを（Ａ）〜（Ｆ）まで偶数位で組合せ、トルクパワーは勿論、バランスを得るための構造でもある。
【請求項４】
クランクカムシャフト（１０）は、最大のバランスと重力回転加速の主要な役割を果す。特に３６０°を６等分割にした理由は、回転板（ローター）が上位、位置から降下時１２０°〜１８０°位まで、重力回転加速（ステーター）の振り幅が最大に達し、その回転速度を高めるためである。
【請求項５】
（１２、１３、１４、１５）は、回転板（ローター）の回転を表す。
円周を４等分割で表した図で、重力回転で必ず回さなければならない位置は（１４）、その理由は遠心力回転の負荷を少なく抑えるためである。
遠心力回転範囲でＤＣ１２Ｖ小型モーターを使用し、遠心力回転の補助駆動として最小限小電流で補助するためには（１５）の位置まで回さなければならない。
【発明の詳細な説明】
【発明の詳細な説明】
【技術分野】
【０００１】本発明は、小型駆動モーターにより変形状回転板を層状に組合せ、重力回転＋遠心力回転を引出し、エネルギーを増幅する装置として開発した。
【背景技術】
【０００２】従来の自然エネルギーは、太陽光、風力、その他数多く開発されているが、重力回転＋遠心力回転発電装置は、自然の気象条件等に左右されることなく稼動が可能である。
【発明が解決しようとする課題】
【０００３】地球の温暖化防止、自家発電の普及、開発途上地域への貢献。
【発明と実施と形態】
【０００４】本発明は、（１１）の形態を小から大にすることにより当然トルクの変化は生じるが、（１０）主軸カムシャフトの振り幅が、回転時のバランス解決のためには非常に重要である。
【実施例】
【０００５】図面参照。
図６（１１）変形状回転板の重量比率と、図５（１０）主軸カムシャフトとの振り幅と、回転板の重量の関係。列カムシャフトの振り幅を小さく回転、ｒ．ｐ．ｍ．２００回転から２５０回転、又は、回転板の重量を重く、ｒ．ｐ．ｍ．１６０回転から１８０回転、又は、本体の振動、タイミングの調整から見て、振り幅を狭く回転板重量を軽くするのが望ましい。
【発明の効果】
【０００６】本発明は、重力回転＋遠心力回転を最大限に利用している。小型電動モーターを補助駆動とし、少量の電流で大きな電流を生みだすことの出来る装置として、その効果を十分に発揮し、クリーンエネルギーとして環境問題にも貢献出来る発電装置である。
【図面の簡単な説明】
【図１】１、ステーター  ２、発電コイルコワー  ３、ローター
【図２】４、ステーターの動き  ５、ローターの動き  ６、１機構
【図３】７、ローターを回転させる機構  ８、ステーターを左、右、に振るクランクカムシャフト
【図４】９、図２  ６、機構を偶数単位で組合せた図面
【図５】１０、ローター回転のバランスを得るためのクランクカムシャフト
【図６】１１、ローターの回転を示したもの
【図７】重力回転と遠心力回転を示したもの
【符号の説明】  １、      ステーター
２、      発電コイルコワー
３、      ローター
４、      ステーターと発電コイルコワー
５、      ステーターとローター
６、      ステーター、発電コイルコワー、ローターの組合せ
７、      ステーターの動き
８、      クランクカムシャフト
９、      単独発電の偶数組合せ
１０、      クランクカムシャフトの６分割とバランス
１１、      ローター回転のバランス
１２、      重力回転と遠心力回転の役割
１３、      重力回転と遠心力回転の役割
１４、      重力回転と遠心力回転の役割
１５、      重力回転と遠心力回転の役割
【図１】
2011122575.tif 000003
【図２】
2011122575.tif 000004
【図３】
2011122575.tif 000005
【図４】
2011122575.tif 000006
【図５】
2011122575.tif 000007
【図６】
2011122575.tif 000008
【図７】
2011122575.tif 000009
(57)【要約】【課題】従来のエネルギー産出システムでは、ガソリン等の化石燃料を必要とするのが一般的である。今の時代において、エネルギー効率の高いエネルギー産出システムが求められる。【解決手段】おもり２の重さにより、伸縮自在のじゃばら様の部品１が支柱７を押し、その力によって、図では伸縮自在のじゃばら様の部品１は右に向かって伸び始める。それによって、車軸４を軸として、車輪３が右回転し地面５を転がり始める。じゃばら様の部品１は平行の状態を保ったまま、右に伸びてゆく。そして最終的には車輪３は坂６を上り始め、最終的に、おもり２は元にあった位置よりも高い場所に移動する。【選択図】図１
2011122574.tif 000002
【特許請求の範囲】
【請求項１】
伸縮自在のじゃばら様の部品を使い、おもりが、自重によって、元の位置よりも高い場所に移動することを可能にした機械。
【発明の詳細な説明】
【技術分野】
【０００１】  本発明はエネルギー産出システムに関する。
【発明が解決しようとする課題】
【０００２】  従来のエネルギー産出システムでは、ガソリン等の化石燃料を必要としたものが一般的であった。それはＣＯ２を排出する。
【０００３】  本発明は、全くのクリーン・エネルギーを産出する。
【課題を解決するための手段】
【０００４】  おもり２の重さにより、伸縮自在のじゃばら様の部品１が支柱７を押し、その力によって、図では伸縮自在のじゃばら様の部品１は右に向かって伸び始める。それによって、車軸４を軸として、車輪３が右回転し地面５を転がり始める。じゃばら様の部品１は平行の状態を保ったまま、右に伸びてゆく。そして最終的には車輪３は坂６を上り始め、最終的に、おもり２は元にあった位置よりも高い場所に移動する。
【図面の簡単な説明】
【０００５】
【図１】本発明の側面図である。
【符号の説明】
【０００６】  １    伸縮自在のじゃばら様の部品
２    おもり
３    車輪
４    車軸
５    地面
６    坂
７    支柱
【図１】
2011122574.tif 000003
(57)【要約】      （修正有）【課題】エアコン使用時に、室外機から出る余った風を利用して発電する風力発電装置。【解決手段】風力発電用発電装置にプロペラ状の羽１を装着させ、保護のためにその羽に保護用のカバー３をつけて、そのカバー３を利用してエアコン室外機の風向部分に取り付ける。さらにこの装置を一台の室外機に数段（数個）取り付ける事でより多くの発電量が期待できる。【選択図】図１
2011122578.tif 000002
【特許請求の範囲】
【請求項１】
風力発電用発電機にプロペラ状の羽を装着させて、保護のためにその羽に保護用のカバーを付ける。そのカバーを利用してエアコン室外機の風吹き出し部分に取り付ける装置
【請求項２】
風力発電用発電装置にプロペラ状の羽を装着させ、保護のためにその羽に保護用のカバーをつけて、そのカバーを利用してエアコン室外機の風吹き出し部分に取り付ける事を特徴とする装置の製造方法
【請求項３】
請求項１に、より多くの発電が可能になる様に付属品としてミニファン発電機や太陽光発電システム等を取り付ける方法全般
【請求項４】
請求項１の発電量をさらに多くするために、その装置を一台の室外機に数段（数個）取り付ける事ができるようにするカバー等の器具の製造全般
【請求項５】
請求項１・２・３・４の販売に関する全般
【請求項６】
請求項１・２・３・４の取付け作業に関する全般
【請求項７】
保護用カバーはエアコン室外機の風吹き出し部分に合わせて丸状や四角状の形状にする
【発明の詳細な説明】
【技術分野】
【０００１】  この発明は、エアコンの室外機の風向部分にプロペラ状の羽を取り付けて、使用時に出る余風を利用して、風力発電を行なう装置。
【背景技術】
【０００２】  近年、エアコン（空調機）は通年使用されていることが多い。夏は、室外機の熱交換器部分を冷やすために、冬は室外機の熱交換器を暖めるためにと、使用する度に室外機から余分な風が流れ出ている。エアコンは一般家庭用の小さな物や業務用やビルに内臓設置されているエアコンの全ての室外機から風が流れ出ているのです。しかもその風は、家庭用エアコン室外機でも風速３ｍ／ｓ前後にも値する時があるので、自然エネルギーの一つとして利用することができる。
【発明の概要】
【発明が解決しようとする課題】
【０００３】  本発明は、その余った風に着目し、エアコンの室外機の風向部分に装置を取り付ける事で風力発電を行うものである。
【課題を解決するための手段】
【０００４】  本発明では、プロペラ状の羽を発電機に付着させて、保護のためにプロペラ部分に保護用のカバーを付けた装置
【発明の効果】
【０００５】  本発明で得られる効果はとても大きく、一般家庭用の小さなエアコンや業務用の大型エアコンの室外機、さらにビル内蔵の大型エアコン等様々な室外機に取り付ける事で、大変大きな風力を得る事ができる。しかも近年のエアコン出荷台数は大幅に増加しているので、小型・大型に関わらず相当な風力による電力を確保する事が期待される。【０００６】  加えてエアコンの使用範囲や時間帯が多様化しているので、この装置の普及により昼夜を問わず様々な方面から、より多くの電力の確保が期待される。【０００７】  今までの風力発電では設置初期費用が高く、設置場所の確保が困難なことなどから、普及率が伸び悩みしているが、今日政府が再生可能エネルギーで発電した電力の全量を買い取る制度の実施に向けて検討を始めているが、この装置は初期設置コストが比較的安価ですむので、一般家庭のみならず、各事業所やビル所有者、アパートの管理人など様々な人に利益をもたらす事に繋がるものと思います。【０００８】  不要で余った風を利用する事で、今日の全世界で問題視されている温室効果ガスの排出抑制に大きく寄与するものである。【０００９】  さらにエアコンを使用していない時でも、風が強い時には自然とプロペラが回り、自然風による発電も可能である。
【図面の簡単な説明】
【図１】本発明装置の正面図
【符号の説明】  １  プロペラ状の羽
２  発電機
３  保護用カバー
４  電線ケーブル
５  留め金部分
６  電線ケーブル接続部分の保護カバー
【図１】
2011122578.tif 000003
【図２】
2011122578.tif 000004
【手続補正書】
【提出日】平成22年2月3日(2010.2.3)
【手続補正１】
【補正対象書類名】明細書
【補正対象項目名】全文
【補正方法】変更
【補正の内容】
【発明の詳細な説明】
【技術分野】
【０００１】  この発明は、エアコンの室外機の風向部分にプロペラ状の羽を取り付けて、使用時に出る余風を利用して、風力発電を行なう装置。
【背景技術】
【０００２】  近年、エアコン（空調機）は通年使用されていることが多い。夏は、室外機の熱交換器部分を冷やすために、冬は室外機の熱交換器を暖めるためにと、使用する度に室外機から余分な風が流れ出ている。エアコンは一般家庭用の小さな物や業務用やビルに内臓設置されているエアコンの全ての室外機から風が流れ出ているのです。しかもその風は、家庭用エアコン室外機でも風速３ｍ／ｓ前後にも値する時があるので、自然エネルギーの一つとして利用することができる。
【発明の概要】
【発明が解決しようとする課題】
【０００３】  本発明は、その余った風に着目し、エアコンの室外機の風向部分に装置を取り付ける事で風力発電を行うものである。
【課題を解決するための手段】
【０００４】  本発明では、プロペラ状の羽を発電機に付着させて、保護のためにプロペラ部分に保護用のカバーを付けた装置
【発明の効果】
【０００５】  本発明で得られる効果はとても大きく、一般家庭用の小さなエアコンや業務用の大型エアコンの室外機、さらにビル内蔵の大型エアコン等様々な室外機に取り付ける事で、大変大きな風力を得る事ができる。しかも近年のエアコン出荷台数は大幅に増加しているので、小型・大型に関わらず相当な風力による電力を確保する事が期待される。【０００６】  加えてエアコンの使用範囲や時間帯が多様化しているので、この装置の普及により昼夜を問わず様々な方面から、より多くの電力の確保が期待される。【０００７】  今までの風力発電では設置初期費用が高く、設置場所の確保が困難なことなどから、普及率が伸び悩みしているが、今日政府が再生可能エネルギーで発電した電力の全量を買い取る制度の実施に向けて検討を始めているが、この装置は初期設置コストが比較的安価ですむので、一般家庭のみならず、各事業所やビル所有者、アパートの管理人など様々な人に利益をもたらす事に繋がるものと思います。【０００８】  不要で余った風を利用する事で、今日の全世界で問題視されている温室効果ガスの排出抑制に大きく寄与するものである。【０００９】  さらにエアコンを使用していない時でも、風が強い時には自然とプロペラが回り、自然風による発電も可能である。
【図面の簡単な説明】
【００１０】
【図１】本発明装置の正面図
【図２】本発明装置の側面図
【符号の説明】  １  プロペラ状の羽
２  発電機
３  保護用カバー
４  電線ケーブル
５  留め金部分
６  電線ケーブル接続部分の保護カバー
(57)【要約】      （修正有）【課題】太陽電池パネル、風力発電機、中継アンテナ、通信機能付電力メーター及び充電装置の一体設置を、高所利用による省スペース化、コンパクト設計を、コンクリートポールを用いた架台システムで解決する。【解決手段】コンクリートポール１，３に風力発電機、取付金具類、太陽電池パネルを固定し、コンクリートポール５の下部にコントロールボックス１１を設け、コントロールボックス１１の内部に、充電装置１２と通信機能付電力メーター１３を取付ける。通信機能付電力メーター１３は、充電装置１２、中継アンテナ６と結線する。【選択図】図１
2011122576.tif 000002
【特許請求の範囲】
【請求項１】
イ）コンクリートポールＡ（１）に風力発電機Ａ（２）を設け、コンクリートポールＢ（３）に風力発電機Ｂ（４）を設け、コンクリートポールＣ（５）に中継アンテナ（６）を設ける。
ロ）コンクリートポールＡ（１）、Ｂ（３）、Ｃ（５）に取付金具類（７）を設け、太陽電池パネルＡ（８）、太陽電池パネルＢ（９）、太陽電池パネルＣ（１０）を固定する。
ハ）コンクリートポールＣ（５）の下部にコントロールボックス（１１）を設け、コントロールボックス（１１）の内部に、充電装置（１２）と通信機能付電力メーター（１３）を取付ける。
ニ）ハ）の充電装置（１２）は、風力発電機Ａ（２）、Ｂ（４）と結線し、発電した交流電気を直流変換して、充電する。
又、太陽電池パネルＡ（８）、Ｂ（９）、Ｃ（１０）とも結線し、発電した直流電気を充電する。
ホ）更にハ）の通信機能付電力メーター（１３）は、充電装置（１２）、中継アンテナ（６）と結線する。
以上のごとく構成された、風力発電、太陽光発電を併用した通信機能付電力メーターと充電装置による分散型発電、送電装置のコンクリートポール型架台システムである。
【発明の詳細な説明】
【技術分野】
【０００１】本発明は、コンクリートポールの架台工法に関するものであり、風力発電機、太陽電池パネル、中継アンテナを併設して取付けることに特徴を持ち、通信機能付電力メーター、充電装置により、効率的に分散型発電、送電を可能にしたものである。
【背景技術】
【０００２】従来より、大規模な太陽電池パネル発電や風力発電は、海外において、大陸型の気候や、広大な土地の条件を活用しており、日本の気候や地形は困難な条件が多かった。
その為、日本固有の気候や土地に合わせた、海岸線の利用計画が必要である。
【発明の開示】
【発明が解決しようとする課題】
【０００３】日本固有の海岸線を利用する際、常時、発生する陸風、海風や、隣接する広大な水平海面等の自然環境に適した計画で、自然エネルギーの活用効率を高め、発電能力の向上を課題とする。
【課題を解決するための手段】
【０００４】この課題を解決するために、請求項１の発明は、風力発電機と太陽電池パネルの併用を計り、風力発電と太陽光発電と組み合わせることで、自然エネルギーの活用効率を高める。
又、海岸線での分散型発電を計る為、中継アンテナも同時に併設して、通信機能付電力メーター、充電設備による、効率的な発電、送電が可能になる。
【発明の効果】
【０００５】この発明の効果は、風力発電機、太陽電池パネル、中継アンテナ、通信機能付電力メーター、充電装置の一体設置と、高所活用による省スペース化、コンパクト設計が可能になり、海岸線に連続した分散型設置を実現させる。
【発明を実施する為の最良の形態】
【０００６】この発明は、海岸等の海に隣接する場合に、海面に反射する太陽光も活用して、従来の太陽電池パネルの裏側での発電可能であり、両面発電の出来る太陽電池パネルの設置が可能である。
又、海岸線の立地以外でも、周辺の反射で、平地、野原、河川、湿原、湖沼、山間部での応用も可能である。
【０００７】この発明は、海岸線の立地の場合、常時、発生する陸風、海風に合わせた、昼夜の風向きの変化に対応できる垂直型の風力発電機の活用も可能である。
【０００８】この発明は、コンクリートポールの代替として、鉄柱、鉄骨でも可能である。
【０００９】この発明は、凍結や積雪対策を必要な場合は、凍結防止や融雪の為、ヒーターの取付加工も可能であり、必要な感知センサーの取付けも可能であり、電源も充電装置より配線できる。
【産業上の利用可能性】
【００１０】本発明に係る分散型発電送電装置のコンクリートポール型架台システムは、普及も可能で、産業上の利用可能を有する。
【図面の簡単な説明】
【００１１】
【図１】本発明の説明図である。
【図２】本発明の海面反射発電を活用した二段式太陽電池パネル設置の説明図である。
【図３】〔図１〕の連続設置したシステムの説明図である。
【図４】〔図２〕の連続設置したシステムの説明図である。
【符号の説明】
【００１２】（１）コンクリートポールＡ  （２）風力発電機Ａ  （３）コンクリートポールＢ
（４）風力発電機Ｂ  （５）コンクリートポールＣ  （６）中継アンテナ
（７）取付金具類  （８）太陽電池パネルＡ  （９）太陽電池パネルＢ
（１０）太陽電池パネルＣ  （１１）コントロールボックス
（１２）充電装置  （１３）通信機能付電力メーター
【図１】
2011122576.tif 000003
【図２】
2011122576.tif 000004
【図３】
2011122576.tif 000005
【図４】
2011122576.tif 000006
(57)【要約】【課題】  自動変速車の後退運転をする場合、アクセルとブレーキを交互に踏み換える。その場合、女性や高齢者等は特にアクセルとブレーキを踏み間違えて失速させる危険性がある。ブレーキから足を離さずに安全に後退運転できる機構が望まれる。【解決手段】  自動変速車に於いて、変速レバーを後退位置に入れたとき、これに連動してエンジンの回転数を１０００ｒｐｍから１１００ｒｐｍ程度に若干上昇させることによって、ブレーキペダルから足を離さず踏む力の調整だけで安全に後退することができる。【特許請求の範囲】
【請求項１】
自動車の後退時、変速レバーを後退に入れると連動してエンジンの回転数を若干上げ、ブレーキペダルの踏力の調整のみで後退運転を可能とする機構。
【発明の詳細な説明】
【技術分野】
【０００１】  現在の機構では自動車を後退させる場合、右足でブレーキとアクセルを踏み替えながら行わなければならない。停止する時にまたブレーキを踏む。この場合アクセルとブレーキとを踏み間違えて失速する危険性がある。これを防ぐために、変速レバーを後退に入れるとエンジンの回転数を自動的に若干上げることによって、アクセルペダルを踏むことなく、ブレーキの踏み加減のみで後退運転を安全に行うことを可能にする機構の構築である。
【背景技術】
【０００２】  女性や高齢者の運転者の増加でより安全な運転システムが必要である。運転技術が十分でない女性や高齢者が自動車を運転して後退させようとする場合、アクセルとブレーキの踏み間違いから失速する可能性もある。アクセルを使用せずブレーキの調整だけで後退運転を安全に行うために、変速レバーと連動してエンジンの回転数を上げるシステムの考案。
【発明の概要】
【０００３】  特に自動変速車両の運転に於ける後退運転を安全に行うシステムである。
女性や高齢者など運転技術が十分でない人でもアクセルを使用することなく、ブレーキの調整だけで不安なく自動車を後退させることができる機構である。
【発明が解決しようとする課題】
【０００４】  女性や高齢者の運転者が多くなっている現在、自動変速車両を運転する場合に、より安全で容易に後退運転ができることが望ましい。現機構のアクセルとブレーキを交互に使用して行う後退運転を、ブレーキを踏み力の調整のみで安全に行うシステムの構築。【０００５】  変速の時点から後退運転終了までブレーキ操作だけで後退運転ができれば、踏み違えもなく、不安なく後退運転と周囲の安全に集中でき、安全な運転操作ができる。このように、後退運転時アクセル操作を一切しないで後退運転のできる機構が必要と考える。【０００６】  現状の機構では後退するために変速レバーを後退に入れても、エンジンの回転数はアイドリング時と全く変わらないため、後退時わずかな登り斜面でもアクセルを踏み、エンジンの回転数を上げなければならない。その後停止するためにブレーキを踏むのが通常である。このときにブレーキとアクセルの踏み間違いが起こりやすい。
【発明が解決するための手段】
【０００７】  自動車を後退させるために変速レバーを後退位置に入れることによって、変速レバーに連動してエンジンの回転数をアイドリング時よりも若干高くし、アクセルペダルを使用することなく、ブレーキペダルから右足を離すことなく踏む力の調整のみで安全に後退運転をすることを可能とする。
【発明の効果】
【０００８】  本システムによって、女性や高齢者などの後退運転が不得意な人や、操作技術に不慣れな人などの後退運転をより安全に不安なく、且つ容易に後退運転を行うことができる環境を提供することができる。
【０００９】  女性や高齢者の運転者が多くなりつつある現在、運転技術が十分でない方々も多い。特に後退時には体を右や左によじって不自然な姿勢でアクセルとブレーキの操作を交互に踏み換えて行う。この場合アクセルとブレーキを間違えて失速させ、思わぬ事故を起こす可能性が大きい。後退時のこのような事態を避け安全に後退運転を行うために本機構は有効である。
【００１０】    後退時、変速レバーを後退に入れたとき、連動してエンジンの回転数が若干上がることによって車体はなめらかに動かせ、多少の凸凹や登り斜面でも容易に操作できる上、アクセルを踏み間違えて失速させる心配もなくなる。
(57)【要約】【課題】ハンカチを折って性能マスク等にできるハンカチを提供する。【解決手段】ハンカチを対角に折り更に直角部を折って口に当て後ろを結びマスクにしたり、長折にしてネクタイや包帯にもできる便利なハンカチ。【選択図】図１
2011122285.tif 000002
【特許請求の範囲】
【請求項１】
ハンカチを対角に半分折にし更に直角部を折って防菌性を増し口に当て両端を後に結んで横漏れの無いマスクや出血時は包帯にもなり、長折にしてネクタイや頭部に載せて頭巾にもなり、折って簡単にポケットに入り洗濯もできる便利ハンカチ。
【発明の詳細な説明】
【技術分野】
【０００１】本発明は布（ハンカチ）が多目的に変化でき健康を守る発明に関する。
【背景技術】
【０００２】  人類は発生した時から疾病と格闘し、葉や皮を体に当て防御していたと推定される。
そして４万年前に繊維が発明され体や口に巻いて身を守っていたと推定される。古代どの国にもマスクの原型は見られ、医学用としての紐マスクは中世ドイツ、エチケットとしてのハンカチは中世イギリスが原点と推定される。しかし現代のマスクは咳が横漏れしやすく、使い捨てなため廃棄に困り、新たに購入したり、紐で耳が痛んだり、不要時は忘れたり、新型インフル時は殺到し売切れと諸問題も見逃せない。
【発明の課題】
【発明が解決しようとする課題】
【０００３】  本発明は従来の問題を解決するため、少し大きめのハンカチにし対角折で販売するため心理的に意識し、ポケットから取り出してマスクにしやすいようにし、後で両端を結ぶので、肌にフィットし横漏れも防止できる。特に細菌は口から入りやすいためガスマスクのような防御をイメージしやすいが、布を重ねることにより外からの菌を防ぎ、呼吸や発声がしやすいよう内側を三角型にした。不意な出血時も患部に三角部を当て包帯として活用できる。不要時は折畳んでポケット等にしまい、洗濯も水洗い後に絞り広げて干せば乾きが早く、使い捨てにならず何度でも使える。
【発明の実施形態】
【０００４】  以下、本発明を図で説明する。
【０００５】  図１に於て通常ハンカチの縦横約１．２倍の長さで普段はポケット等に畳んである。
【０００６】  図２に於てこのハンカチを対角に半分に折り直角三角形を作る。
【０００７】  図３に於て更にその直角部を対角と平行に先が一致するよう折るとマスクになり口に当て両端を耳の上か耳に被さってもよく背後で結ぶ。固結びにしなくても二重布なので簡単には外れず、解けば簡単に外れる。
【０００８】  図４に於てマスク不要時は両端を内折にし更に半分に折ってポケット等にしまうと再度マスクや包帯として使用する時に使いやすい。また対角と平行に半分に折り片端をＹシャツ第一ボタンに入れると襟を通さない簡易ネクタイにもなり便利。
【発明の効果】
【０００９】  以上、本発明の便利ハンカチは普段はハンカチとしてポケット等に入れ、新型インフルエンザや細菌の予防としてのマスク、火災時は煙から呼吸を守るマスク、ネクタイやスカーフを忘れた時は折って使用できる。不意な出血時も折って包帯代わりとなったり、頭部を守る時にも三角先を頭部後に載せ両端を先の上で結べば頭巾にもなる。手袋にしたい時は三角の中に手を入れ両端を結び、足が寒い時も中に足を入れ結んだりと貢献は多い。
【図面の簡単な説明】
【図１】  本品を広げた外観図
【図２】  本品を対角（斜め）に半分に折り直角三角形にした図
【図３】  図２で折った本品を更に折った図
【図４】  図３で使用後に内折でハンカチに、長折でネクタイに変わる図
【図１】
2011122285.tif 000003
【図２】
2011122285.tif 000004
【図３】
2011122285.tif 000005
【図４】
2011122285.tif 000006
(57)【要約】【課題】熱を持った乳房を冷やすのに円形の基材で冷却ジェルシートが部分部分に規則正しく施され切れ目が付いている為に様々な大きさの乳房に限りなく対応出来切り取り線が施されているために切り取って一部の冷やしたい場所のみ冷やすことが可能になったオッパイ冷却ジェルシートを提供する。【解決手段】円形の基材（不燃布、木綿紙など）に冷却ジェルシートが部分部分に施されて冷却ジェルシートの周囲には切り取り線が付いている円形の基材で切り込みも有り乳房に合う形状で肌に貼り付けて使う事を特徴とするオッパイ冷却ジェルシート。【選択図】図１
2011122287.tif 000002
【特許請求の範囲】
【請求項１】
円形の不燃布、木綿紙など基材に冷却ジェルシートが部分部分に施されて冷却ジェルシートの周囲には切り取り線が付いている円形の基材で切り込みを設け乳房に合う形状に形成した事を特徴とするオッパイ冷却ジェルシート。
【発明の詳細な説明】
【技術分野】
【０００１】    本発明は、乳房を冷ますジェルシートに関するもので、円形をしている基材が無駄なくやさしく乳房全体を包み込み冷却ジェルシートによって熱を和らげる事が出来、切込みが有る為に様々な乳房のサイズに対応出来、切り取って部分的に冷やす事も出来るオッパイ冷却ジェルシートに関するものである。
【背景技術】
【０００２】    従来乳房を冷ます専用のものは無く、乳房の熱を冷ます為には氷枕や冷却シートを凍らせたタオルなど利用して痛みや乳の張りを抑え母乳がたくさん作られるのを軽減させ、熱を下げていた。
従って乳腺炎や手術などで乳房が熱を持っている時には冷やすためにも痛みや不具合などに耐えなければならなかった。
【発明の概要】
【発明が解決しようとする課題】
【０００３】そのために、次のような問題点があった。
（イ）熱を持った乳房を冷ます為に氷枕を利用する場合，硬くて大きい為に肌に密着しない欠点があった。
（ロ）更には冷たすぎ冷ましたくない肌にまで付着するので乳房の熱を冷ますのは容易ではなかった。
（ハ）やわらかいタイプの冷却枕を利用しても重たく両手を使いおきているときにしか使用できず寝ている間にも冷却するのは困難だった。
（ニ）冷却ジェルシートでは何枚も貼り付ける必要があり全体に大きいので冷ましたくない場所にも張り付いてしまい不敏な代用品しかなかった。【０００４】本発明はこれらの問題点を解決し、様々な乳房の大きさに順応し部分的に切り取っても使用することが出来るようになされ、冷ましたい部分だけ冷ますことも出来、全体に冷ますことも出来るようになされたもので、就寝中でも貼り付けたまま使用でき美容業界や産婦人科の患者さん更には一般女性まで幅広い年齢層が対象になり消耗品としてなされるオッパイ冷却ジェルシートを提供することを目的とする。
【課題を解決するための手段】
【０００５】円形の基材（不燃布、木綿紙など）に冷却ジェルシートが部分部分に施されて冷却ジェルシートの周囲には切り取り線が付いている円形の基材で切り込みも有り乳房に合う形状で肌に貼り付けて使う事を特徴とするオッパイ冷却ジェルシート。
【発明の効果】
【０００６】基材が円形であることにより、乳房の形によく適しており、全体を冷やすことが容易に出来、切り取り線より切り取って使うことが可能なので必要に応じて部分的に冷やす事も可能になった。【０００７】本発明は肌に貼り付けて使う冷却ジェルシートを使っている為に利用したままの状態で、両手が空き更には重さも無い為に就寝時でも気軽に利用し続けることが出来るようになり、就寝中でも熱を抑える効果が得られるようになったオッパイ冷却ジェルシートである。【０００８】円形の基材（不燃布、木綿紙など）と冷却ジェルシートが柔らかいので、肌に貼り付けても硬くなく痛くなく利用でき軽いのでソフトに密着するようになったものである。【０００９】特に持ち運びに便利で、場所を選ばず利用でき、衛生面でもデザイン性でも機能性でも進化する現代社会のニーズに応えることが出来消耗品として使うものである為に産業活動の向上に充分に貢献するものである。【００１０】円形の基材に切り込みが有る為にある程度多様なサイズの乳房に合わせ使用することが可能になったオッパイ冷却ジェルシートである。
【図面の簡単な説明】
【００１１】
【図１】  本発明の正面図
【図２】  本発明の実施例（１）
【図３】  本発明の実施例（２）
【発明を実施するための形態】
【００１２】以下、本発明の実施の形態について説明する。
尚、本発明はこれらの形態になんら限定されるものではなくその要旨を逸脱しない範囲において種種なる態様で実施しうる。
【００１３】（イ）基材（不燃布、木綿紙、など）（６）が円形（４）で中心部に設けた円形の穴（５）より切り込み（２）を取り付ける。
（ロ）基材（不燃布、木綿紙、など）（６）に所々冷却ジェルシート（１）を取り付ける。
（ハ）すべての冷却ジェルシート（１）と冷却ジェルシート（１）の間に切り取り線（３）を設ける。
【００１４】基材（６）については円形（４）で冷却ジェルシート（１）が取り付けられ、切り取り線（３）が設けられていてサイズ対応に適していれば、基材（６）の材質については断定するものではなく、紙でも、布でも断定するものではない。
【００１５】本発明品は、冷却ジェルシート（１）が部分的に規則正しく施され冷却ジェルシート（１）と冷却ジェルシート（１）の間には切り取り線（３）が施されている円形（４）の基材（不燃布、木綿紙など）（６）で一部分に切り込み（２）を設け乳房に合う形をしていて、肌に貼り付けて使う事を特徴としており、効果的に熱を下げる効果が得られるものである。本発明品は以上の構成からなっている。
【００１６】本発明を利用する時は、時間帯、場所を選ばず、外出先でも就寝中でも手軽に利用することが出来る。
【００１７】熱を保持した乳房に直接基材（不燃布、木綿紙など）（６）を貼り付け中心部に設けた円形の穴（５）に乳首を合わせ乳房の大きさに合わせ切り込み（２）を寄せたり広げたりする事により、サイズ調整も可能にし熱を下げるのに適している。
【００１８】切り取り線（３）で切り取り冷却ジェルシート（１）を冷やしたい部分に合わせ一部分のみ冷やす事も出来る。
【００１９】熱を持った乳房全体を冷やしたい時でも、部分的に規則正しく施された冷却ジェルシート（１）と冷却ジェルシート（１）の間にある程度の隙間が空いており、基材（６）はやわらかい素材で出来ている為肌に触れても痛くなく、冷たすぎを解消しており、熱を下げるのに効率よく適している。
【符号の説明】
【００２０】１  冷却ジェルシート
２  切り込み
３  切り取り線
４  円形
５  中心部に設けた円形の穴
６  基材
【図１】
2011122287.tif 000003
【図２】
2011122287.tif 000004
【図３】
2011122287.tif 000005
(57)【要約】【課題】カーボンナノチューブ（ＣＮＴ）、カーボンピコチューブ（ＣＰＴ）等の超微細構造物を、ベースとなる素材に浸透・吸着させることにより、ＣＮＴの持つ導電性、熱伝導性など有益な諸特性を付加した新素材の創出。【解決手段】ＣＮＴ分散液を用いて、ベースとなる素材の組織中にＣＮＴ導電性微細粒子を吸着・浸透させることによって導電性を持たせた繊維素材を提供する。ベース素材は液体を吸収できるものであれば何でも良いが、ベース素材の組織構造が微細であればある程高い吸収率を実現出来ることに着目し、そういった素材を吟味選択することが本発明の要点となる。【選択図】図２
2011122286.tif 000002
【特許請求の範囲】
【請求項１】
超微細構造を持つ素材、例えば植物、皮革、繊維、紙、金属編組素材などにＣＮＴ、ＣＰＴの分散溶液を毛細管現象、ブラウン運動により吸収させ、ベース素材の組織にこれら微細炭素構造物を内包させることによって導電性を持たせた新素材。
【請求項２】
ベースとなる素材の構造が微細であればあるほど、毛細管現象やブラウン運動によってＣＮＴやＣＰＴをより多く吸収し、且つより強固に結びつくことを利用した、超導電素材。
【請求項３】
請求項１〜２を素材とする電線、コイル、端子、コネクタ、ケーブル、電池の負極材、ＬＥＤ照明の電極、及びプリント基板等の電子部品をはじめとするあらゆる製品群。
【請求項４】
請求項１〜２を素材とする静電袋、静電シート、静電シートカバー、静電靴、静電手袋、静電服、静電用工具等の、静電気対策品
【請求項５】
請求項１〜２を素材とするアンテナ、電磁遮断ネット、ノイズ防止用コイルなど、電磁波シールド製品
【請求項６】
請求項１〜２を素材とする、燃焼防止用タバコ葉、シガーペーパー、フィルター
【請求項７】
請求項１〜２を素材とする、酸素発生装置及び窒素発生装置のモレキュラーシーブ
【請求項８】
請求項１〜２を素材とする、偽造防止紙幣
【発明の詳細な説明】
【技術の分野】
【０００１】本発明は、カーボンナノチューブ（ＣＮＴ）又はより微細な構造物であるカーボンピコチューブ（ＣＰＴ）を水または溶剤に均等に分散させた分散液を、ブラウン運動や毛細管現象によってナノファイバー等の超微細素材に浸透・吸着させ、超電導素材を得ることを目的とする。
【背景技術】
【０００２】電線、コイル、電池などの電子機器材料の素材には、様々な金属材が用いられている。【０００３】しかし、金属、特にレアメタルなどは資源に限りがあり、充分な供給量を確保することが困難な状態にある。【０００４】また、金属材料は採掘から精製、加工及び廃棄の際に多量のエネルギー消費を伴い、二酸化炭素の放出等環境への負荷も大きい。【０００５】一方、近年においてＣＮＴ、カーボンナノファイバー（ＣＮＦ）、カーボンナノホーン（ＣＮＨ）、フラーレンといった炭素系ナノ構造物は、熱的、電気的及び機械的に高い特性を持つ新素材として、様々な分野で注目されている。【０００６】これら炭素系ナノ構造物は濡れ性が悪く、金属との親和性が低いとされていたが、（株）大成化研の松原等によってベース金属中にＣＮＴを均一に分散混合する手法が確立されている。
【先行技術文献】
【特許文献】
【０００７】
【特許文献１】出願番号２００９−２１６１９３
【特許文献２】出願番号２００９−２１６１９４
【特許文献３】出願番号２００７−２９１５６７
【発明の概要】
【発明が解決しようとする課題】
【０００８】資源・環境面への負荷の大きい金属材に代わる、新しい導電材料と、これを安価かつ大量に得る方法が望まれる。
【課題を解決する為の手段】
【０００９】ベースとなる素材、例えばナノファイバーをＣＮＴ又はＣＰＴの分散液に染物の要領で含浸させ、毛細管現象やブラウン運動により分散液を繊維内に均等に浸透・吸着させる。
【００１０】上記の方法によりベース素材の繊維組織内に熱伝動率、電気伝導率の極めて高いＣＮＴを均一に内包させることが出来、素材に導電性を持たせることが可能となる。
【００１１】ベースとなる素材はナノファイバーの他、液体を吸収し得るものであれば、植物繊維、皮革といった天然物、又は和紙、布地といった人工物でもよい。
【００１２】この際、ベースとなる素材が微細な構造であればあるほど、毛細管現象によってより多くのＣＮＴ又はＣＰＴを浸透・吸着させることが出来、電気抵抗値が下がり、より導電性を高めることができる。
【発明の効果】
【００１３】上記のような手段で植物繊維に導電性を持たせることにより、安価かつフレキシブルな導電材料を実現した。
【００１４】ベース素材によっては生産や廃棄に際するコスト及び消費エネルギーやＣＯ２等による環境負荷も、従来の金属素材に比べて抑えることが出来る。
【００１５】また、静電対策の衣類やシートに応用可能である。
【００１６】他にも、この素材をシガーペーパーやタバコ葉そのものに使用することによって、ＣＮＴの熱分散効果による延焼防止用紙巻きタバコとなる。
【００１７】ＣＮＴの含有濃度により、定められた電気抵抗や静電容量を特異的に選択することで、例えば紙幣の偽造防止などに応用できる。
【図面の簡単な説明】
【００１８】
【図１】は、ベース素材をＣＮＴ分散液に含浸させる方法を示した説明図である。
【００１９】
【図２】はより微細な繊維構造をもつベース素材ほどＣＮＴの吸収率が高いことを示した説明図である。
【実施例１】
【００２０】図２はＣＮＴを吸着させた通常の布と、ナノファイバー（有機繊維からなり単繊維径が１０００ｎｍ以下のナノファイバーを含む繊維構造体であって、該繊維構造体中において、ナノファイバー同士が凝集密着することなく、ばらけた状態で存在することを特徴とするナノファイバー繊維構造体）とのＣＮＴ吸着量の差を示す模式図である。微細な構造を持つナノファイバーの方がより多くのＣＮＴを吸着し、厚みも増している。
【図１】
2011122286.tif 000003
【図２】
2011122286.tif 000004
(57)【要約】【課題】既存の骨盤サポートベルトはゴム製で、衣服内部での装着となる。衣服内部での装着だと、脱着がめんどうになり、かぶれや蒸れ、筋力の低下に繋がる恐れそれがある。  本発明は、洋装、和装の区別なく衣服の外に装着でき、かぶれや蒸れ、筋力低下の恐それのない骨盤サポートベルトを提供する。【解決手段】カラフルな帯状の布地の一方の先端に面ファスナーを設け、中間部に角カンを設け、他端部に設けた帯垂らし部にて面ファスナーを隠し、帯垂らし部の端をスリットを設けた帯留めで固定する。【選択図】図１
2011122284.tif 000002
【特許請求の範囲】
【請求項１】
カラフルな帯状の布地の一方の先端に面ファスナーを設け、中間部に角カンを設け、他端部に設けた帯垂らし部にて面ファスナーを隠し、帯垂らし部の端をスリットを設けた帯留めで固定する様に構成した骨盤サポートベルト。
【発明の詳細な説明】
【技術分野】
【０００１】  本発明は、衣服の上から着用できる骨盤サポートベルトに関するものである。
【背景技術】
【０００２】  従来の骨盤サポートベルトは、衣服の下に着用するゴムタイプがほとんどで、衣服の上に着用するものは、エプロンの内部にゴムタイプの骨盤サポートベルトを仕込んだものがある。（特許文献１参照）
【先行技術文献】
【特許文献】
【０００３】
【特許文献１】  登録実用新案第３１１９５０８号
【発明の概要】
【発明が解決しようとする課題】
【０００４】  従来のゴム製骨盤サポートベルトでは、衣服の中に着用する為、外出先での脱着に不便を感じながら着用しつづけ、かぶれや蒸れ、筋肉退化の原因となる恐れがある。
本発明は、これらを防ぐ為に衣服の上から着用でき、なおかつ通常の洋装や和装にあう骨盤サポートベルトを提供するものである。
【課題を解決するための手段】
【０００５】  上記問題を解決する為、本発明はカラフルな帯状の布地の一方の先端に面ファスナーを設け、中間部に角カンを設け、他端部に設けた帯垂らし部にて面ファスナーを隠し、帯垂らし部の端をスリットを設けた帯留めで固定する様に構成したものである。
【発明の効果】
【０００６】  カラフルな帯状の布地を使用することにより、どこでも脱着可能な衣服の上に着用できる骨盤サポートベルトとなり、かぶれや蒸れ、筋力の低下をを防ぐことができる。
本発明は骨盤サポートだけでなく、和装の新しい帯としても使用することができる。
【図面の簡単な説明】
【０００７】
【図１】本発明の斜視図
【図２】本発明の帯留めの使用状態を示した視図
【発明を実施するための形態】
【０００８】  以下、本発明の実施の形態を説明する。
（イ）帯状の胴巻き部（１）の先端、帯表地（２）に面ファスナー（５）を設ける。
（ロ）帯裏地（３）に角カン（６）を角カン止め（７）にて固定し、帯垂らし部（８）にポケット（４）を設ける。
（ハ）棒状の帯留め（９）に、帯胴巻き部（１）と帯垂らし部（８）を挟める様にスリット（１０）を設ける。
（ニ）帯留め（９）には、引き抜きやすい様に穴（１１）を設け、紐（１２）を通しておく。
本発明は以上の様な構造である。
本発明を使用するには、衣服の上より骨盤に帯胴巻き部（１）を巻き、面ファスナー（５）を角カン（６）に通し、締め込みながら面ファスナー（５）を止める。
面ファスナー（５）と角カン（６）を隠す様に、帯垂らし部（８）をさらに巻き込み、帯留め（９）にて帯胴巻き部（１）と共に挟み込み、固定する。
帯垂らし部がある為、サイズ調整、締め込み用の面ファスナーを隠すことが出来る。
ポケットに物をいれても、帯留め（９）があるため、帯垂らし部（８）が垂れ下がることはない。
又、本発明は和装用の帯としても利用できる。
【符号の説明】
【０００９】（ａ）
（１）帯胴巻き部
（２）帯表地
（３）帯裏地
（４）ポケット
（５）面ファスナー
（６）角カン
（７）角カン止め、
（８）帯垂らし部、
（ｂ）
（９）帯留め
（１０）スリット
（１１）穴
（１２）紐
【図１】
2011122284.tif 000003
【図２】
2011122284.tif 000004
(57)【要約】【課題】帽子の天４までしか見えない人は勿論、それ以外の人にもキャラクタ６が認知されるような帽子が求められていた。また、帽子に取り付けたキャラクタ６以上に複雑な動きをするキャラクタ６付きの帽子が求められていた。【解決手段】帽子のつば１、腰２、クラウン３、天４から上方に伸びる支持棒５にキャラクタを取り付ければ、帽子の天４までしか見えない人は勿論、それ以外の多くの人からも認知されるようになる。支持棒５は、柔軟に複雑に揺れ動くので、より多くの人の注目を集める。また支持棒５及び支持棒５に連結したキャラクタ６に同色、異色のＬＥＤ７を取り付け、光量増減、同時点滅、時間差点滅させれば昼間だけでなく、夕方、夜間も注目されるようになる。【選択図】  図１
2011122250.tif 000002
【特許請求の範囲】
【請求項１】
つば、腰、クラウン、天から上方に伸びる支持棒にキャラクタを取り付けた帽子。
【請求項２】
支持棒及び支持棒に連結したキャラクタにＬＥＤを取り付けたことを特徴とする請求項１記載の帽子。
【発明の詳細な説明】
【技術分野】
【０００１】
本発明は、つばがクラウンの周囲全面にあるハット、つばがクラウンの前面にあるキャップ、つばがないハット（繊維を編み上げた帽子、ロシア帽を含む。）、ヘルメット等（以下「帽子」という。）に関するものである。        
【背景技術】
【０００２】
従来の帽子では、キャラクタは帽子のつば、腰、クラウンに取り付けたものであった。
【０００３】
従来の帽子では、キャラクタは帽子の表面にのみ存在し、当然のことながら帽子の天から上には何も存在しなかった。そのため帽子の上のみしか見えない人には、このような帽子は存在しないのと同様であった。また、帽子の表面に存在するキャラクタは、帽子の動きと同じ方向への動きだけであり、キャラクタが帽子の動き以上に注目されるような動きはしなかった。
【先行技術文献】
【特許文献】
【０００４】
【特許文献１】登録実用新案第３０７８９２９号
【特許文献２】登録実用新案第３１４５５１８号
【発明の概要】
【発明が解決しようとする課題】
【０００５】
本発明は、帽子の天からさらに上に伸びる支持棒にキャラクタ、マスコット、文字、記号、マーク等（以下「キャラクタ」という。）を取り付けて、帽子の天から下しか見えない人にもキャラクタの存在が認知できるようにしようとするものである。
【課題を解決するための手段】
【０００６】
本発明は、帽子のつば、腰、クラウン、天から上方に伸びる柔軟に屈曲する支持棒（金属製又は樹脂製のもの、及び中空パイプ状のものを含む。以下同じ。）の先端又は途中にキャラクタを取り付けるのである。支持棒及びキャラクタは、単数、複数のいずれでもよい。キャラクタが複数の場合は、キャラクタは同一でなくてもよい。
【発明の効果】
【０００７】
支持棒は帽子の天より高くなるので、帽子から遠方にいる人にも支持棒に取り付けたキャラクタが認知できるようになるので、より多くの人がキャラクタを認知できるようになる。
【０００８】
支持棒は柔軟に屈曲するので、その支持棒に取り付けたキャラクタは当然のことながら前後左右に揺れ動くのであるが、支持棒の動きは帽子の動きよりもタイムラグがあり、
大きく拡大された動きになるので、そこに取り付けられたキャラクタは帽子の動きよりも複雑な動きになる。その結果、キャラクタを見る人の予想もできない動きとなり、キャラクタはより注目されるようになる。また、キャラクタが複数の場合には、キャラクタが同一であっても、異なる形状であってもキャラクタの相乗効果が期待でき、キャラクタに対する注目度はさらに大きくなる。
【０００９】
揺れ動きにより注目されるキャラクタは、それを見る人だけでなく、キャラクタを取り付けた帽子を被っている人の遊び心も満足させる。
【図面の簡単な説明】
【００１０】
【図１】本発明を実施した帽子の斜視図である。（実施例１）
【発明を実施するための形態】
【００１１】
以下、本発明の実施の形態を図に基づいて説明する。
【００１２】
帽子のつば１、腰２、クラウン３、天４から上方に伸びる支持棒５に取り付けたキャラクタ６は、帽子の動きに従い、帽子とともに揺れ動く。支持棒５は柔軟な屈曲性があるので、支持棒５の途中のみならず、先端に取り付けたキャラクタ６はより複雑に揺れ動くようになる。
【産業上の利用可能性】
【００１３】
支持棒５に取り付けたキャラクタ６は、帽子の天４より上方に位置するので、帽子の天４までしか見えない人だけでなく、より多くの人がキャラクタ６が見えるようになる。
【００１４】
支持棒５に取り付けたキャラクタ６は、帽子自体の動きよりも複雑に揺れ動くので、キャラクタに対する注目度はより高まる。
【００１５】
支持棒５やキャラクタ６にＬＥＤ７を取り付け照明できるようにすれば、夕方、夜間などの光量の少ない場所においてもキャラクタ６に注目させることができる。ＬＥＤ７をキャラクタ５の重要な点に連続的に線になるように取り付ければ、光量の少ない場所でも明るい場所におけると同様の、あるいはそれ以上に注目させることができる。ＬＥＤ７は、一次電池、二次電池、太陽電池などの電源からスイッチ、制御機により同色、異色の光量増減、同時点滅、時間差点滅させる構造にすれば、キャラクタ６はより一層注目されるようになる。
【符号の説明】
【００１６】
１  つば
２  腰
３  クラウン
４  天
５  支持棒
６  キャラクタ
７  ＬＥＤ
【図１】
2011122250.tif 000003